(57)【特許請求の範囲】
【請求項１】
移動自在の台車と、該台車上に載置した発電機と、該台車上に設けられた伸縮自在の複数段のマストからなる昇降装置と、該昇降装置の最上段のマストの上端部に取付けた照明バルーンとを備え、
前記照明バルーンは、膨張可能なバルーンと該バルーンの内部に配置された照明器具とを備え、該照明器具には、前記発電機から供給される電力により発光する電球と、該電球を保護する保護枠体とからなり、
且つ、前記照明バルーンのバルーンを膨張又は収縮させるバルーン膨張・収縮装置と、前記照明バルーンを垂直状態から所定角度の傾斜状態まで任意の位置で傾斜固定させるバルーン傾斜固定装置とを備えた、ことを特徴とするバルーン照明機であって、
前記バルーン膨張・収縮装置は、
前記電球を保護する保護枠体のバルーン上部側の上部支持部材に突設されたガイド部材を上下摺動可能に嵌着されたバルーン支持部材と、
前記保護枠体のバルーン下部側の電球支持部材と、
該バルーン支持部材と該電球支持部材との間に配置された複数のバネ部材と、
前記照明バルーンの下端部に設けられた保持脚部と昇降装置の最上段のマストの上端部に設けられた取付部とを連結固定した連結ピンと、
一端が前記バルーン支持部材に係止され、他端を前記昇降装置の最上段のマストより一段下段のマストに設けられた係止部材に任意の長さ位置で係脱自在に係合されるリング式の鎖を有するワイヤーロープとからなり、
前記最上段のマストを上昇させるとワイヤーロープの一端が係止されているバルーン支持部材がガイド部材を摺動して下降し、該ガイド部材が上部支持部材に係止された状態で、前記バルーン支持部材と電球支持部材とに連結された前記複数のバネ部材が所定の高さ位置でそれぞれ楕円形状に湾曲されてバルーンを膨張させ、最上段のマストを最下端位置に下降させることにより前記複数のバネ部材が元の伸びた状態に戻されてバルーンを収縮させる、
ことを特徴とするバルーン照明機。
【請求項２】
移動自在の台車と、該台車上に載置した発電機と、該台車上に設けられた伸縮自在の複数段のマストからなる昇降装置と、該昇降装置の最上段のマストの上端部に取付けた照明バルーンとを備え、
前記照明バルーンは、膨張可能なバルーンと該バルーンの内部に配置された照明器具とを備え、該照明器具には、前記発電機から供給される電力により発光する電球と、該電球を保護する保護枠体とからなり、
且つ、前記照明バルーンのバルーンを膨張又は収縮させるバルーン膨張・収縮装置と、前記照明バルーンを垂直状態から所定角度の傾斜状態まで任意の位置で傾斜固定させるバルーン傾斜固定装置とを備えた、ことを特徴とするバルーン照明機であって、
前記バルーン膨張・収縮装置は、
前記保護枠体の上部に設けられた上部支持部材と、
該上部支持部材の中央に突設されて上方に延出された円筒部と、
該円筒部の上部を固定支持する前記バルーンの上部を形成する円板部と、
前記保護枠体の下部に設けられた電球支持部材に支持固定された下部支持部材と、
該下部支持部材の下方に垂設された長尺の保持脚部と、
該保持脚部の外周に摺動自在に嵌合されて前記バルーンの下部を支持する脚部摺動部材とから構成された照明バルーンを有し、
前記バルーンの収縮を案内する複数のバネ部材の各上端を前記バルーンの上部を形成する円板部に回動自在に取り付ける一方、夫々のバネ部材の各下端を前記脚部摺動部材の円板部に回動自在に取り付け、
さらに前記脚部摺動部材の円板部に一端を係止したワイヤーロープを前記下部支持部材に設けた滑車に掛けて該ワイヤーロープの他端を前記昇降装置の最上段のマストより一段下段のマストの係止部材に任意の長さで係脱自在に係合し、
前記最上段のマストを上昇させることによりワイヤーロープの一端が係止されている前記脚部摺動部材が前記保持脚部に沿って上昇するに従い前記複数のバネ部材が楕円形状に湾曲されてバルーンを膨張させ、最上段のマストを下降させることにより前記脚部摺動部材が前記保持脚部に沿って下降するに従い前記複数のバネ部材が元の伸びた状態に戻されてバルーンを収縮させるようにした、
ことを特徴とするバルーン照明機。
【発明の詳細な説明】
【０００１】
【発明の属する技術分野】
本発明は、土木工事現場やイベント催場などの夜間照明用に使用されるバルーン照明機に関する。
【０００２】
【従来の技術】
道路等の新設、修復工事は、交通規制等のため夜間に行われることが度々であり、また、工事の性質上移動が伴うので移動性のある夜間照明が所望され、移動台車を備えた投光機が用いられている。
【０００３】
従来のこの種の投光機は、前後輪を備えた車台上に伸縮自在の複数段のマストからなる昇降装置を載置固定し、その最上段のマストの上端部に照明灯を取り付けてなり、ウインチによりワイヤーロープを巻き解きすることによりマストを介して照明灯を昇降させるようになっている。
【０００４】
そして、前記照明灯は、一般に４００ｗのメタルハライド型の電球が用いられ、この電球をリフレクタ内に配置して、これを２灯〜４灯設けて構成されている。
【０００５】
【発明が解決しようとする課題】
ところで、例えば、道路等の修復工事では、交通規制により片側車線の交通を遮断して工事が施工されるが、従来の投光機では、電球からの光線が直接的に照射されるとともにリフレクタで反射された光線がリフレクタの照射範囲内で集中的に照射されるため、この光線は眩しく、例えば、反対車線を走行中の車両の運転者の目に直接入ると一瞬目がみえなくなる等の恐れがあり、運転がしづらいという問題があった。
【０００６】
そこで、最近、目に優しい照明が得られる照明バルーンを備えたバルーン照明機が使用されている。
【０００７】
このバルーン照明機は、バルーンを膨張させる手段として電気的空気吹込装置が用いられており、この電気的吹込装置で常時バルーン内に空気を送り込むことによりバルーンを膨張させている。そして、バルーンの膨張と収縮に連動させて電球が点灯又は消灯するようになっている。
【０００８】
しかしながら、このような従来のバルーン照明機では、電気的空気吸込装置を用いることにより、構造が複雑になると共にコスト高になるという問題があり、また、バルーンが切れたり穴が明いたりすると、電球が消灯してしまったり、バルーンが収縮してしまい使用不能になるという欠点があった。
【０００９】
本発明は、上記に鑑みなされたものであって、明るさが抜群で、かつ、目に優しい光線が得られ、構造が簡単で、しかもバルーンの膨張・収縮を昇降装置の上昇・下降に連動させて行うことができるバルーン照明機の提供を目的とする。
【００１０】
【課題を解決するための手段】
上記目的を達成するために、請求項１の発明は、移動自在の台車と、該台車上に載置した発電機と、該台車上に設けられた伸縮自在の複数段のマストからなる昇降装置と、該昇降装置の最上段のマストの上端部に取付けた照明バルーンとを備え、前記照明バルーンは、膨張可能なバルーンと該バルーンの内部に配置された照明器具とを備え、該照明器具には、前記発電機から供給される電力により発光する電球と、該電球を保護する保護枠体とからなり、且つ、前記照明バルーンのバルーンを膨張又は収縮させるバルーン膨張・収縮装置と、前記照明バルーンを垂直状態から所定角度の傾斜状態まで任意の位置で傾斜固定させるバルーン傾斜固定装置とを備えた、ことを特徴とするバルーン照明機であって、前記バルーン膨張・収縮装置は、前記電球を保護する保護枠体のバルーン上部側の上部支持部材に突設されたガイド部材を上下摺動可能に嵌着されたバルーン支持部材と、前記保護枠体のバルーン下部側の電球支持部材と、該バルーン支持部材と該電球支持部材との間に配置された複数のバネ部材と、前記照明バルーンの下端部に設けられた保持脚部と昇降装置の最上段のマストの上端部に設けられた取付部とを連結固定した連結ピンと、一端が前記バルーン支持部材に係止され、他端を前記昇降装置の最上段のマストより一段下段のマストに設けられた係止部材に任意の長さ位置で係脱自在に係合されるリング式の鎖を有するワイヤーロープとからなり、前記最上段のマストを上昇させるとワイヤーロープの一端が係止されているバルーン支持部材がガイド部材を摺動して下降し、該ガイド部材が上部支持部材に係止された状態で、前記バルーン支持部材と電球支持部材とに連結された前記複数のバネ部材が所定の高さ位置でそれぞれ楕円形状に湾曲されてバルーンを膨張させ、最上段のマストを最下端位置に下降させることにより前記複数のバネ部材が元の伸びた状態に戻されてバルーンを収縮させる、ことを特徴とする。
【００１４】
請求項２の発明は、移動自在の台車と、該台車上に載置した発電機と、該台車上に設けられた伸縮自在の複数段のマストからなる昇降装置と、該昇降装置の最上段のマストの上端部に取付けた照明バルーンとを備え、前記照明バルーンは、膨張可能なバルーンと該バルーンの内部に配置された照明器具とを備え、該照明器具には、前記発電機から供給される電力により発光する電球と、該電球を保護する保護枠体とからなり、且つ、前記照明バルーンのバルーンを膨張又は収縮させるバルーン膨張・収縮装置と、前記照明バルーンを垂直状態から所定角度の傾斜状態まで任意の位置で傾斜固定させるバルーン傾斜固定装置とを備えた、ことを特徴とするバルーン照明機であって、前記バルーン膨張・収縮装置は、
前記保護枠体の上部に設けられた上部支持部材と、該上部支持部材の中央に突設されて上方に延出された円筒部と、該円筒部の上部を固定支持する前記バルーンの上部を形成する円板部と、前記保護枠体の下部に設けられた電球支持部材に支持固定された下部支持部材と、該下部支持部材の下方に垂設された長尺の保持脚部と、該保持脚部の外周に摺動自在に嵌合されて前記バルーンの下部を支持する脚部摺動部材とから構成された照明バルーンを有し、前記バルーンの収縮を案内する複数のバネ部材の各上端を前記バルーンの上部を形成する円板部に回動自在に取り付ける一方、夫々のバネ部材の各下端を前記脚部摺動部材の円板部に回動自在に取り付け、さらに前記脚部摺動部材の円板部に一端を係止したワイヤーロープを前記下部支持部材に設けた滑車に掛けて該ワイヤーロープの他端を前記昇降装置の最上段のマストより一段下段のマストの係止部材に任意の長さで係脱自在に係合し、前記最上段のマストを上昇させることによりワイヤーロープの一端が係止されている前記脚部摺動部材が前記保持脚部に沿って上昇するに従い前記複数のバネ部材が楕円形状に湾曲されてバルーンを膨張させ、最上段のマストを下降させることにより前記脚部摺動部材が前記保持脚部に沿って下降するに従い前記複数のバネ部材が元の伸びた状態に戻されてバルーンを収縮させるようにした、ことを特徴とする。
【００１６】
【発明の実施の形態】
以下、本発明の実施形態について、図面を用いて説明する。
【００１７】
（実施例１）
図１は、本発明の実施例１に係るバルーン照明機の照明バルーンが膨張状態にある様子を示す側面図、図２は、照明バルーンが収縮状態にある様子を示す概略断面図、図３は、照明バルーンの詳細を示す拡大断面図、図４は、照明バルーンのバルーン傾斜固定装置を示す側面図、図５は、図４の要部の線断面図である
【００１８】
このバルーン照明機１は、図１及び図２に示すように左右一対の前輪２と後輪３とを備え、移動自在の台車４と、この台車４上に設けられた伸縮可能な昇降装置５と、この昇降装置５の上端に取り付けられた照明バルーン６とから構成されている。また、台車４上には発電機７が載置固定されている。

【００１９】
さらに、このバルーン照明機１は、照明バルーン６のバルーン８を膨張または収縮させるバルーン膨張・収縮装置９と、前記照明バルーン６を垂直状態から所定角度の傾斜位置まで任意の位置で傾斜固定させるバルーン傾斜固定装置１０とを備えている。
【００２０】
台車４には、前後輪２、３の方向変換用の操向ハンドル１１と、後輪３を制動するブレーキ装置１２と、左右一対のアウトリガー１３が設けられている。
【００２１】
昇降装置５は、台車４上に立設固定された第１マスト１４と、該第１マスト１４内に出入り自在に挿嵌された第２マスト１５と、該第２マスト１５内に出入り自在に挿嵌された第３マスト１６とからなり、第３マスト１６の上部には、照明バルーン６を着脱自在に取り付ける取付部１７と照明バルーン６を垂直状態から所定角度の傾斜位置まで任意の位置で傾斜固定させるバルーン傾斜固定装置１０が設けられている。
【００２２】
そして、第２マスト１５及び第３マスト１６は、第１マスト１４に取り付けられたウインチ１８のハンドル１９を回してワイヤーロープ２０を巻き取ることにより、第３マスト１６、第２マスト１５の順に段階的に上昇する。また、ウインチ１８のハンドル１９を逆回転してワイヤーロープ２０を繰り出すことにより第２マスト１５、第３マスト１６の順に段階的に下降する。
【００２３】
前記取り付け部１７には、ピン孔１７ａが設けられている。
【００２４】
照明バルーン６は、図３に示すように、薄い可撓性の材料からなる膨張可能なバルーン８と、このバルーン８内の中央位置に配置された照明器具２１とを備えている。
【００２５】
バルーン８の材料は、例えば、プラスチック処理が施された白色の布または単純な白色のプラスチック製フィルムからなる。
【００２６】
バルーン８は膨張状態において略楕円形状を呈し、長軸に沿って上下の半楕円形部分８ａ、８ｂに分割され、これら上下の半楕円形部分８ａ、８ｂをマジックテープ（登録商標）等の面状ファスナ２２により係脱可能につなぎ合わせて形成されている。
【００２７】
そして、上側の半楕円形部分８ａの内側はアルミコーティングされた光反射板になっている。また、下側の半楕円形部分８ｂの内面には、後述する複数のバネ部材３５をそれぞれ挿通させる複数のチュウブ部８ｃが形成されている。
【００２８】
照明器具２１は、電球２３と、この電球２３を保護する保護枠体２４とからなる。電球２３は、メタルハライド型であるとよく、また高電力、例えば１０００ｗで、二重壁で細長い管により形成されている。
【００２９】
保護枠体２４は、電球２３を取り囲み等間隔に配置された複数個の保護柱２５、２５、…を有し、それぞれの保護柱２５，２５、…の各上端が上部支持部材２８で固定されると共に、それぞれの保護柱２５、２５、…の各下端が電球支持部材２７で固定されることにより、保護枠体２４の形状を確保すると共に、電球支持部材２７の中央に立設されたスリーブ２６に電球２３を立設するようになっている。
【００３０】
電球支持部材２７には、下方に延出する保持脚部２９が一体に設けられており、この保持脚部２９には、照明バルーン６を第３マスト１６の取付部１７のピン孔１７ａに対応するピン孔３０が設けられている。そして、取付部１７のピン孔１７ａと保持脚部２９のピン孔３０とに連結ピン３１を連通させて照明バルーン６を第３マスト１６に連結固定する。
【００３１】
保護部材２４の上部支持部材２８には、その中央上方に前記保持脚部２９の軸芯上に延出する断面形状四角状のガイド部材３２が突設されている。
【００３２】
このガイド部材３２には、バルーン８の上側の半楕円形部分８ａの上部を支持するバルーン支持部材３３が摺動自在に嵌着されている。バルーン支持部材３３は、前記ガイド部材３２に摺動自在に嵌合する筒状部３３ａと、該筒状部３３ａの外周にバルーン８の上側を支持する円板状部３３ｂとから形成されている。
【００３３】
また、バルーン８の上側の半楕円形部分８ａの上部中心に形成された孔は、バルーン支持部材３３の円板状部３３ｂに支持され、その円板状部３３ｂは、保護枠体２４の上部支持部材２８に突設されたガイド部材３２をバルーン支持部材３３の筒状部３３ａに挿入して支持すると共に、円板状部３３ｂの上側で筒状部３３ａにキャップ形状の抜け止め部材３４を嵌合固定することによってバルーン８の上側の半楕円形部分８ａを固定支持している。
【００３４】
バルーン支持部材３３の円板状部３３ｂと電球支持部材２７との間には、ピアノ線等からなる複数個のバネ部材３５が周方向に等間隔で配置されている。これらバネ部材３５は、上端がバルーン支持部材３３に一体的に設けられた支持ブラケット３６にそれぞれ連結固定されると共に、下端は電線支持部材２７に着脱自在に設けられた支持ブラケット３７にそれぞれ連結固定されている。そして、前記複数個のバネ部材３５はそれぞれバルーン８の下側半楕円形部分８ｂの内面に形成されたチュウブ部８ｃを挿通してバルーン支持部材３３と電球支持部材２７とに連結されている。
【００３５】
つぎに、バルーン膨張・収縮装置９とバルーン傾斜固定装置１０について説明する。

【００３６】
バルーン膨張・収縮装置９は、図１乃至図３に示すように、バルーン支持部材３３と電球支持部材２７との間に配設された複数のバネ部材３５と、バルーン支持部材３３と第２マスト１５の上端部とを連結するワイヤーロープ３８とにより構成されている。

【００３７】
ワイヤーロープ３８は、一端がバルーン支持部材３３の下面に係止環３９を介して係止され、以後上部支持部材２８上に設けられた滑車４０及び滑車４１にガイドされ、さらに電球支持部材２７に取り付けた案内環４２にガイドされて第２マスト１５の上端部に設けた係止部材４３に他端が係脱自在に係止される。
【００３８】
ワイヤーロープ３８の他端部には、前記係止部材４３に係脱可能なリング式の鎖４４が連結され、終端部に握り環４５が設けられている。従って、ワイヤーロープ３８は、前記係止部材４３に係止させるチェーン４４の環の位置を変えることにより、任意の長さ位置で係止部材４３に係止させることができる。
【００３９】
バルーン傾斜固定装置１０は、図４及び図５に示すように、第３マスト１６の上端部と照明バルーン６の取付部１７の下端部にそれぞれ設けられ、互いに対向する面で係合可能な菊座部４６、４７と、これら菊座部４６、４７を互いに係合させる連結ボルト４８と、前記取付部１７側の菊座部４７を第３マスト１６側の菊座部４６へ付勢する圧縮バネ４９とにより構成されている。
【００４０】
菊座部４６、４７には、それぞれ互いに対向する面で噛み合い可能な噛み合い歯５０、５１が形成されている。菊座部４６の噛み合い歯５０は、周面上に連設された山部５０ａと谷部５０ｂとからなり、また、菊座部４７の噛み合い歯５１は、周面上に連設された山部５１ａと谷部５１ｂとからなる。そして、噛み合い歯５０の山部５０ａが噛み合い歯５１の谷部５１ｂに係合すると同時に噛み合い歯５１の山部５１ａが噛み合い歯５０の谷部５０ｂに係合することにより、噛み合い歯５０、５１同士が噛み合い菊座部４６、４７が係合している。
【００４１】
第３マスト１６の菊座部４６の中には、連結ボルト４８を螺合するねじ孔５２が形成され、また、取付部１７の菊座部４７には、前記ねじ孔５２に連通する貫通孔５３が設けられている。そして、連結ボルト４８を菊座部４７の貫通孔５３に挿通させて菊座部４６のねじ孔５２に螺合させることにより、両菊座部４６、４７が連結される。
【００４２】
また、第３マスト１６の菊座部４６には、取付部１７の菊座部４７の回動を規制するストッパ部４６ａ、４６ｂが設けられている。
【００４３】
前記連結ボルト４８の首下部( ねじ部のない部分) は、取付部１７の菊座部４７より外側方へ突出されており、この突出部の菊座部４７と連結ボルト４８の頭部との間に圧縮バネ４９がスプリングシート５４、５５を介して介装されている。この圧縮バネ４９のバネ力により、取付部１７の菊座部４７を常時第３マスト１６の菊座部４６側に付勢して両菊座部４６、４７の噛み合い歯５０、５１による係合力が保持されている。
【００４４】
また、連結ボルト４８の頭部には、該連結ボルト４８をねじ込み操作用の握手５９が取り付けられている。
【００４５】
前記取付部１７には、該取付部１７を垂直状態から任意の傾斜位置に回動させるときに用いる操作棒５６を抜き差し可能な前部と後部の操作棒連結部５７ａ、５７ｂが設けられている。なお、操作棒５６は、第１マスト１４に設けられた掛け金具５８に収納されている。
【００４６】
つぎに、上記の構成からなるバルーン照明機１の照明バルーン６を昇降装置５に取り付ける手順について説明する。
【００４７】
照明バルーン６は、取り付けの準備がなされた状態に組立てられている。すなわち、電球支持部材２７上に電球２３を有する照明器具２１が配置され、バルーン支持部材３３にバルーン８の上部を支持させると共にバルーン支持部材３３と電球支持部材２７との間に複数のバネ部材３５が固定されて照明バルーン６が組立られている。
【００４８】
このように組立てられた照明バルーン６を昇降装置５に取り付けるときには、まず、第３マスト１６の取付部１７の後部操作棒連結部５７ｂに操作棒５６を差し込み、操作棒５６を下方へ押し下げて取付部１７の菊座部４７を第３マスト１６の菊座部４６に対し圧縮バネ４９の付勢力に抗して回動させて、取付部１７を略水平状態に固定させる。
【００４９】
つぎに、照明バルーン６の保持脚部２９を取付部１７に係合させて両者のピン孔１７ａ、３０に連結ピン３１を差し込んで照明バルーン６を第３マスト１６の取付部１７に連結固定する。そして、取付部１７を押し上げて照明バルーン６を垂直状態に保持させる( 図２参照) 。
【００５０】
この状態で、ワイヤーロープ３８のチェーン４４の任意の位置を係止部材４３に係合させた後、ウインチ１８のハンドル１９を回動操作して昇降装置５の第３マスト１６を上昇させると、ワイヤーロープ３８の一端が係止されたバルーン支持部材３３がガイド部材３２を摺動して下降し、このガイド部材３２が上部支持部材２８に係止された状態で複数のバネ部材３５がそれぞれ楕円形状に湾曲されてバルーン８が膨張して照明バルーン６が使用状態になる( 図１参照) 。
【００５１】
この使用状態から照明バルーン６を収納する時には、ウインチ１８のハンドル１９を逆回転して昇降装置５の第３マスト１６を下降させると、バルーン支持部材３３がガイド部材３２を摺動して上昇し、第３マスト１６が最下端位置に下降した状態で複数のバネ部材３５が元に戻されてバルーン８が収縮する( 図２参照) 。
【００５２】
そして、バルーン照明機６を運搬したり格納する場合には、第３マスト１６の取付部１７の前部操作棒連結部５７ａに操作棒５６を差し込み、操作棒５６を下方へ押し下げて取付部１７を略水平な状態で回動させて固定する。
【００５３】
したがって、照明バルーン６をコンパクトに収納でき、高さ方向に嵩張らないため、トラックでの運搬や、倉庫への格納を容易に行うことができる。
【００５４】
なお、本実施形態によれば、図２に示す通りに、照明バルーン６を垂直状態の位置でワイヤーロープ３８の終端部に設けられた握り環４５を手で持って引き下げることにより、バルーンを膨張させることもできる。
【００５５】
（実施例２）
この実施例のバルーン照明機１は、図６乃至図８に示すもので、上記実施例と同様に、照明バルーン６のバルーン８を膨張または収縮させるバルーン膨張・収縮装置９’と、照明バルーン６を垂直状態から所定角度の傾斜位置まで傾斜固定させるバルーン傾斜固定装置１０とを備えてなるものである。そのうち自動バルーン膨張・収縮装置９’の構造および動作が上記の実施例と異なるもので、その他の構成は実施例１と同様である。

【００５６】
従って、以下の説明においては、主として実施例２に特有のバルーン膨張・収縮装置９’に関連する事項について説明し、他の構成は実施例１と同様として省略する。

【００５７】
図８に示すように、電球２３を保護する保護枠体２４’は、実施例１と同様に、等間隔に配置された複数個の保護柱２５、２５…を有し、夫々の保護柱２５、２５…の各上端が上部支持部材２８’で固定されると共に夫々の保護柱２５、２５…の各下端が電球支持部材２７’で固定されることにより、保護枠体２４’の形状を確保すると共に、電球支持部材２７’の中央に固設されたスリープ２６に電球を立設するようにしている。
【００５８】
なお、本実施例においては、スリーブ２６に立設された電球２３の上部外周を係止金具６３で係止して該係止金具６３の上方延出部６３ａを上部支持部材２８’の円筒部６１ａの内部に下方から挿入して係止することにより、電球２３の動揺を防止するようにしている。
【００５９】
上記の保護枠体２４’の上部支持部材２８’は、その中央上方に、実施例１のガイド部材３２よりは相当に短尺の円筒部６１ａを有し、この円筒部６１ａの外周に突出形成された円板部６１ｂの下面外周付近には複数の支持ブラケット３６、３６…が設けられている。
【００６０】
また、実施例１と同様に形成されたバルーン８を成す上側の半楕円形部分８ａの上部中心に形成された孔８ahに上部支持部材２８’の円筒部６１a を挿入して円板部６１ｂで支持すると共に、円筒部６１a の上部にキャップ形状の抜止め部材６０を嵌合固定することによってバルーン８の上部を固定支持した構成としている。
【００６１】
このような構成によれば、バルーン８は上部が円板部６１ｂで支持されると共に抜止め部材６０で固定された構造となり、バルーン８の上部は抜止め部材６０だけであるため、上方に突起物がほとんど存在しない構造となる。

【００６２】
また、保護枠体２４’の下部を成す電球支持部材２７’は下部支持部材６２に金具等を介して支持固定され、下部支持部材６２の中央には下方に垂設された長尺の保持脚部２９’の上端が固設されている。
【００６３】
一方、図６に示すように、昇降装置５は、実施例１と同様に、車台４上に立設固定された第１マスト１４と、第１マスト１４に嵌挿された第２マスト１５と、第２マストに嵌挿された第３マスト１６とから成り、第２マスト１５及び第３マスト１６は、第１マスト１４に取り付けられたウインチ１８のハンドル１９による巻取りまたは巻戻しにより上昇または下降する。
【００６４】
また、図８に示すように、昇降装置５の第３マスト１６の上部には、実施例１と同様に、照明バルーン６を垂直状態から所定角度の傾斜位置まで傾斜固定させるバルーン傾斜固定装置１０を介して照明バルーン６の保持脚部２９’を着脱自在に取り付ける取付部１７が設けられている。
【００６５】
本実施例においては、上記の取付部１７に実施例１で用いた連結ピン３１（図３参照）を介して取り付けられる保持脚部２９’が実施例１のそれよりも長尺に形成されている。即ち、この保持脚部２９’の長さは、実施例１のガイド部材３２の長さに相当するものである。そして、実施例１と同様に、保持脚部２９’の下部に設けられたピン孔３０と取付部１７の上部に設けられたピン孔１７a とに上記の連結ピン３１を連通させて、保持脚部２９’を取付部１７に連結固定することができる（図６または図７参照）。
【００６６】
そして、保持脚部２９’の外周には脚部摺動部材６５が上下方向に摺動自在に嵌合されている。この脚部摺動部材６５は、長尺の保持脚部２９’の外周に嵌合された円筒部６６と該円筒部６６の途中の外周に突出された円板部６７とから成り、円板部６７の上面外周付近には複数の支持ブラケット３７、３７…が設けられている。
【００６７】
そして、上記のバルーン８を成す下側半楕円形部分８ｂの下部中心に形成された孔８bhに脚部摺動部材６５の円筒部６６を挿通することによってバルーン８の下部を支持するようにしている。
【００６８】
バルーン８の内部にはその下側の半楕円部８ｂの内周に沿って複数のチューブ８ｃ、８ｃ…が所定間隔で固設され、夫々のチューブ８ｃに各バネ部材３５を挿通すると共に、夫々のバネ部材３５、３５…の各上端は上部支持部材２８’の円板部６１ａの各ブラケット３６、３６…にピンで回動自在に取り付けられ、また夫々のバネ部材３５の各下端は脚部摺動部材６５の円板部６７の各ブラケット３７、３７…にピンで回動自在に取り付けられたことにより、後述するバネ部材３５、３５…の変形に案内されてバルーン８を収縮変形することができる。
【００６９】
また、本実施例において、下部支持部材６２には滑車６４が固設され、該滑車６４に掛けられたワイヤーロープ３８の一端が脚部摺動部材６５の円板部６７に係止されている。これは、ワイヤーロープ３８の一端を脚部摺動部材６５の円板部に形成された孔６７ａに挿通すると共にこの孔６７ａにワイヤーロープ３８の一端に固定された嵌着部材３８ａを係止することによっている。
【００７０】
また、ワイヤーロープ３８の他端が昇降装置５の最上段のマスト１７より一段下段のマスト、即ち第２マスト１６に設けられた係止部材４３に任意の長さで係脱自在に係合された構成としている。
【００７１】
本実施例のバルーン照明機は、上記のように構成されているため、図６に示すように、照明バルーン６を使用状態にするには、ウインチ１８のハンドル１９を回動して昇降装置５の最上段のマストである第３マスト１６を上昇させると、ワイヤーロープ３８の一端を係止した脚部摺動部材６５が保持脚部２９’に沿って上昇するに応じて、複数のバネ部材３５、３５…が夫々楕円形状に湾曲されてバルーン８を膨張させることができる。
【００７２】
このようなバルーン８において、膨張したバルーン８はバルーン照明機の最上位置で膨張するため、該バルーン８の内部の電球２３による照明を最上位置とすることができる。
【００７３】
また、図７に示すように、使用状態から照明バルーン６を収納するには、ウインチ１８のハンドル１９を逆回動して昇降装置５の最上段のマストである第３段マスト１６を下降させると、脚部摺動部材６５が保持脚部２９’に沿って下降するに応じて、複数のバネ部材３５、３５…が元の伸びた状態に戻されてバルーン８を収縮させることができる。
【００７４】
このようなバルーンの収縮動作は膨張したバルーン８の下方に露出している保持脚部２９’をガイドとしてバルーン８を下方に伸張するごとく収縮するものであり、その収縮動作において安全性を確保した構成となる。
【００７５】
（実施例３）
この実施例３のバルーン照明機１は、図９及び図１０に示すように、照明バルーン６のバルーン８の電球を保護する保護枠体２４’に、前記バルーン８を収縮させた時に、該バルーン８の収縮された部分の電球との接触を阻止する接触阻止部材７０を備えてなるものである。
【００７６】
この実施例３のバルーン照明機１は、上記実施例２と同様に、照明バルーン６のバルーン８を自動的に膨張または収縮させる自動バルーン膨張・収縮装置９’を備えてなるものである。
【００７７】
そして、この実施例３は、上記照明バルーン６の構造のみが上記実施例１および実施例２と異なるものであるため、主として照明バルーン６に関連する事項について説明し、他の構成は実施例１及び実施例２と同様の符号を付し、説明は省略する。
【００７８】
図１０に示すように、電球２３を保護する保護枠２４’は、実施例１及び実施例２と同様に等間隔に配置された複数個の保護柱２５、２５…を有し、夫々の保護柱２５、２５…の各上端が上部支持部材２８’で固定されると共に、夫々の保護柱２５、２５…の各下端が電球支持部材２７’で固定されることにより、保護柱２４’の形状を確保すると共に、電球支持部材２７’の中央に固設されたスリーブ２６に電球を立設するようにしている。
【００７９】
なお、本実施例においては、スリーブ２６に立設された電球２３の上部外周を係止金具６３で係止して該係止金具６３の上方延出部６３ａを上部支持部材２８’の円筒部６１ａの内部に下方から挿入して係止することにより、電球２３の動揺を防止するようにしている。
【００８０】
上記の保護枠２４’の上部支持部材２８’は、その中央上方に、実施例１のガイド部材３２よりは相当に短尺の円筒部６１ａを有し、この円筒部６１ａの外周に突出形成された円板部６１ｂの下面外周付近には複数の支持ブラケット３６、３６が設けられている。
【００８１】
また、バルーン８を成す上側の半楕円形部分８ａの上部中心に形成された孔８ahに上部支持部材２８’の円筒部６１ａを挿入して円板部６１ｂで支持すると共に、円筒部６１ａの上部にキャップ形状の抜止め部材６０を嵌合固定することによってバルーン８の上部を固定支持した構成としている。
【００８２】
このような構成によれば、バルーン８は上部が円板部６１ｂで支持されると共に抜止め部材６０で固定された構造となり、バルーン８の上部は抜止め部材６０だけであるため、上方に突起物がほとんど存在しない構造となる。
【００８３】
また、保護枠体２４’の下部を成す電球支持部材２７’は下部支持部材６２に金具等を介して支持固定され、下部支持部材６２の中央には下方に垂設された長尺の保持脚部２９’の上端が固設されている。
【００８４】
そして、保護脚部２９’の外周には脚部摺動部材６５が上下方向に摺動自在に嵌合されている。この脚部摺動部材６５は、長尺の保持脚部２９’の外周に嵌合された円筒部６６と該円筒部６６の途中の外周に突出された円板部６７とから成り、円板部６７の上面外周付近には複数の支持ブラケット３７、３７…が設けられている。
【００８５】
そして、上記のバルーン８を成す下側半楕円形部分８ｂの下部中心に形成された孔８bhに脚部摺動部材６５の円筒部６６を挿通することによってバルーン８の下部を支持するようにしている。
【００８６】
バルーン８の内部にはその下側の半楕円部８ｂの内周に沿って複数のチューブ８ｃ、８ｃ…が所定間隔で固設され、夫々のチューブ８ｃに各バネ部材３５を挿通すると共に、夫々のバネ部材３５、３５…の各上端は上部支持部材２８’の円板部６１ａの各ブラケット３６、３６…にピンで回動自在に取り付けられ、また夫々のバネ部材３５の各下端は脚部摺動部材６５の円板部６７の各ブラケット３７、３７…にピンで回動自在に取り付けられたことにより、後述するバネ部材３５、３５…の変形に案内されてバルーン８を収縮変形することができる。
【００８７】
この実施例３のバルーン照明機１は、図９及び図１０に示すように、照明バルーン６のバルーン８の電球を保護する保護枠体２４’に、前記バルーン８を収縮させた時に、該バルーン８の収縮された部分の電球との接触を阻止する接触阻止部材７０を備えてなるものである。
【００８８】
この接触阻止部材７０は、一端が保護枠体２４’の上部支持部材２８’に当接されると共に、他端が保護枠体２４’の電球支持部材２７’に当接されて、保護枠体２４’の支持柱２５の外周に沿って螺旋状に巻回されたコイルスプリング７１と一端が保護枠体２４’の上部支持部材２８’に当接されると共に、他端が保護枠体２４’の電球支持部材２７’に当接されて前記コイルスプリング７１の外周を取り囲むように蛇腹状等に形成された囲い網７２とからなるものである。
【００８９】
本実施例３のバルーン照明機１によれば、照明バルーンのバルーンを収縮状態にした時に、保護枠体の保護柱の外周を取り囲んで設けられた囲み網とコイルスプリングとにより、前記バルーンが収縮された内側部分の保護枠体内への浸入が阻止され、電球に直接接触することがないため、電球の熱によるバルーンの焼け焦げ付きや焼損を防止することができる。
【００９０】
また、不慮の事態で、万一電球が破損した場合でも保護枠体の保護柱の周囲を取り囲む囲み網により、破損片の外部への飛散を防止することができる。
【００９１】
【発明の効果】
以上の説明より明らかなように、請求項１の発明によれば、昇降装置の最上段のマストの上端部に照明バルーンを取り付けて、この照明バルーンのバルーンを膨張・収縮させるバルーン膨張・収縮装置を設けたことにより、昇降装置を伸長させて照明バルーンを上昇させるだけの簡単な操作でバルーンを略楕円形状の膨張状態にすることができる。
【００９２】
また、前記照明バルーンを垂直状態から所定角度の傾斜位置まで任意の位置で傾斜固定させるバルーン傾斜固定装置を設けたことにより、照明バルーンの昇降装置への着脱を簡単、容易に行うことができる。
【００９３】
また、請求項１の発明によれば、前記照明バルーンが、膨張可能なバルーンと、該バルーン内に配置された電球と、この電球を保護する保護枠体を支持する電球支持部材と、前記保護枠体上に設けられたガイド部材に摺動自在に嵌合されて前記バルーンの上部を支持するバルーン支持部材と、該バルーン支持部材と前記電球支持部材との間に配設された複数のバネ部材とを備える構成としたことにより、構造が簡単で、かつ、昇降装置への取り付けが容易な照明バルーンを得ることができる。
【００９４】
また、請求項１の発明によれば、昇降装置の最上段のマストを上昇させることにより複数のバネ部材をそれぞれ楕円形状に湾曲させてバルーンを膨張させ、最上段のマストを下降させることにより前記バネ部材が元の伸びた状態に戻されてバルーンを収縮させる自動バルーン膨張・収縮装置を設けたことにより、従来、バルーンを膨張させておくために設けられていた電気的空気吸込装置を省略することができ、構造が簡単で、かつ、低コストの照明バルーンを得ることができる。
【００９６】
請求項２の発明によれば、バルーンは上部支持部材に対して固定された状態にあり、バルーンの上方に部材が延出することがなく、最上段のマストの上昇または下降によって電球を収納した保護枠体の下方の保持脚部に沿って脚部摺動部材が上昇または下降するに応じてバルーンを膨張させたり収縮させたりするため、バルーンの上方への開き動作がなく、安全面においても優れ、特にバルーンの膨張時に照明の位置を高く保った状態で使用することが可能となり、広範囲への照明が可能となる。
【００９７】
また、請求項２の発明は、構造面においても、ワイヤーロープを係止する滑車が１個ですみ、また最上段のマストの上部に電球を収容する保護枠体の支柱として必要な保持脚部をバルーンの膨張または収縮の際のガイドとして使用することができるため、構成部材においても無駄が省け、故障の少ない構成とすることが可能である。
【００９９】
また、不慮の事態で、万一電球が破損した場合でも保護枠体の保護柱の周囲を取り囲む囲み網により、破損片の外部への飛散を防止することができる。
【図面の簡単な説明】
【図１】本発明の実施例１に係るバルーン照明機の照明バルーンが膨張状態にある様子を示す側面図である。
【図２】実施例１に係る照明バルーンが収縮状態にある様子を示す概略断面図である。
【図３】実施例１に係る照明バルーンの詳細を示す拡大断面図である。
【図４】実施例１に係る照明バルーンのバルーン傾斜固定装置を示す側面図である。
【図５】実施例１に係る図４の要部の断面図である。
【図６】本発明の実施例２に係るバルーン照明機の照明バルーンが膨張状態にある様子を示す側面図である。
【図７】実施例２に係る照明バルーンが収縮状態にある様子を示す概略断面図である。
【図８】実施例２に係る照明バルーンの詳細を示す拡大断面図である。
【図９】実施例３に係る照明バルーンの詳細を示す拡大断面図である。
【図１０】実施例３に係る照明バルーンの電球の保護枠体部の説明図である。
【符号の説明】
１…バルーン照明機
４…台車
５…昇降装置
６…照明バルーン
８…バルーン
９…バルーン膨張・収縮装置
１０…バルーン傾斜固定装置
１７…取付部
２１…照明器具
２３…電球
２４…保護枠体
２７…電球支持部材
３２…ガイド部材
３３…バルーン支持部材
３５…バネ部材
３８…ワイヤーロープ
４３…係止部材
４６…菊座部
４７…菊座部
４８…連結ボルト
４９…圧縮バネ
９’…バルーン膨張・収縮装置
２４’…保護枠体
２７’…電球支持部材
２８’…上部支持部材
２９’…保持脚部
６０…抜止め部材
６１ａ…円筒部
６１ｂ…円板部
６３…係止金具
６５…脚部摺動部材
６６…円筒部
６７…円板部
７０…接触阻止部材
７１…コイルスプリング
７２…囲み網
【図１】
0003864265.tif 000002
【図２】
0003864265.tif 000003
【図３】
0003864265.tif 000004
【図４】
0003864265.tif 000005
【図５】
0003864265.tif 000006
【図６】
0003864265.tif 000007
【図７】
0003864265.tif 000008
【図８】
0003864265.tif 000009
【図９】
0003864265.tif 000010
【図１０】
0003864265.tif 000011